(57)【要約】【課題】  髭剃とシェービングクリームを別々にもちいる場合、どうしてもたっぷりと、すなわち多少の無駄には目をつぶって、シェービングクリームを顔面に塗り、しかも、本人の意図とかかわりあるかないかは別として、結果として２回同じ肌面をシェービングする場合には、２回目にはほとんど何もつけずに行なうことと同様になり、これは、決して肌面にとって望ましい行為、状態ではなく、現状におけるシェービングの欠点であるといえよう。  本発明は、この欠点を解決するためになされたものである。【解決手段】  髭剃（１）とシェービングクリーム噴射器（２）を接合し、肌に触れる面に、まずシェービングクリームの出口（１４）を置き、そのあとに髭剃（１）の剃刀（４）が来るようにする。  本発明は、以上の構成よりなる「一体式髭剃及びシェービングクリーム噴射器」である。【選択図】              図１
2005199020.tif 000002
【特許請求の範囲】
【請求項１】
髭剃（１）とシェービングクリーム噴射器（２）を接合し、その先端には、直接肌に噴射できるように噴射ノズル（１１）を肌のそばまで持ってきて、それを髭剃（１）の肌に触れる面の出口（１４）としてそのままもちいるか、まずシェービングクリームを貯めておく小タンク（３）を置き、そのあとにその出口（１４）が来るようにする。
【請求項２】
髭剃（１）の肌に触れる面に、シェービングクリームの出口（１４）、剃刀（４）の順に並べ、髭剃（１）を２枚刃、３枚刃、にする場合には、順にシェービングクリームの出口（１４）、剃刀（４）、剃刀（４）か、シェービングクリームの出口（１４）、剃刀（４）、シェービングクリームの出口（１４）、剃刀（４）、のパターンで、剃刀（４）の直前か、２、３枚前には必ずシェービングクリームの出口（１４）を置くようにする。
【請求項３】
シェービングクリーム噴射器（２）に従来から供えてある噴射ボタン（６）を、設置位置を変えて、すなわちシェービングしながらでも押しやすい位置、例えば発明品の背中にあたるところに置くことにし、また、噴射ノズル（１１）を肌のそばまで持ってくるため、通常の物よりも長めにして、それを挿す小タンク（３）の内部にゴム製などの弁（１２）を２箇所に設置し、シェービングクリームの逆流と貯まりすぎを防ぐ。
【請求項４】
シェービングクリームの出口（１４）をいくつかに分ける場合には、数ヶ所からできれば１０数箇所程度にわけて、シェービングクリームの一つ一つの出口（１４）に壁としてピン（５）を出口（１４）の数と同数設け、肌と接することによってそのピン（５）が内側へと退き、開いた出口（１４）から肌と接した部分のみに自動的にシェービングクリームを噴射し、逆に肌と離れる場合には、シェービングクリーム自身の内部から噴出される際の圧力か、個々に供えられた軽いスプリング（１５）で、ピン（５）が元の出口（１４）のところへ押し戻されるようにする。
【請求項５】
また同じく、シェービングクリームの出口（１４）をいくつかに分ける場合の、シェービングクリーム噴射器（２）の噴射スイッチに関して、出口（１４）に壁として複数供えたピン（５）がそれぞれ退くことによって入るボタン（１３）と、シェービングクリーム噴射器（２）に従来から供えてある噴射ボタン（６）の両方を備え、２つ押さないと作動しない２重スイッチとして機能させるか、シェービングクリーム噴射器（２）に供えていた噴射ボタン（６）を省略して、出口（１４）のピン（５）関係のボタン（１３）のみを、当該シェービングクリーム噴射器（２）の噴射スイッチとして機能させる。
【請求項６】
シェービングクリーム噴射器（２）は、前方の噴射器（７）及び噴射ノズル（１１）、の部分と、後方のシェービングクリームタンク（８）の部分に、シェービングクリーム補充の為、分解、分離可能で、両者は差し込み口（９）、ねじまき等で接合されている。
【発明の詳細な説明】
【技術分野】
【０００１】  本発明は、髭剃の使用時において、シェービング予定の肌面に、常に適量のシェービングクリームが、噴出されているようにする技術に関するものである。
【背景技術】
【０００２】  従来の技術、すなわち髭剃とシェービングクリームを別々にもちいる場合、どうしてもたっぷりと、すなわち多少の無駄には目をつぶって、シェービングクリームを顔面に塗り、しかも、本人の意図とかかわりあるかないかは別として、結果として２回同じ肌面をシェービングする場合には、２回目にはほとんど何もつけずに行なうことと同様になり、これは、決して肌面にとって望ましい行為、状態ではない。
【発明が解決しようとする課題】
【０００３】  細かいことではあるが、シェービングクリームを厚みにして１センチ近くも顔面に塗り、その内役立っているのは肌に密着している数ミリのみという無駄、また、剃り残し等の心配から２度３度と繰り返し同じ肌面をシェービングするという行為を、何度でも最良の状態で、すなわちシェービングクリームが顔面に塗られた上をシェービングしたいという希望、の２点が現状におけるシェービングの欠点であり問題点であるといえよう。
本発明は、これらの欠点等を解決するためになされたものである。
【課題を解決するための手段】
【０００４】  髭剃（１）とシェービングクリーム噴射器（２）を接合し、その先端には、直接肌に噴射できるように噴射ノズル（１１）を肌のそばまで持ってきて、それを髭剃（１）の肌に触れる面の出口（１４）としてそのままもちいるか、まずシェービングクリームを貯めておく小タンク（３）を置き、そのあとにその出口（１４）が来るようにする。
【０００５】  髭剃（１）の肌に触れる面に、シェービングクリームの出口（１４）、剃刀（４）の順に並べ、髭剃（１）を２枚刃、３枚刃、にする場合には、順にシェービングクリームの出口（１４）、剃刀（４）、剃刀（４）か、シェービングクリームの出口（１４）、剃刀（４）、シェービングクリームの出口（１４）、剃刀（４）、のパターンで、剃刀（４）の直前か、２、３枚前には必ずシェービングクリームの出口（１４）を置くようにする。
【０００６】  シェービングクリーム噴射器（２）に従来から供えてある嘖射ボタン（６）を、設置位置を変えて、すなわちシェービングしながらでも押しやすい位置、例えば発明品の背中にあたるところに置くことにし、また、噴射ノズル（１１）を肌のそばまで持ってくるため、通常の物よりも長めにして、それを挿す小タンク（３）の内部にゴム製などの弁（１２）を２箇所に設置し、シェービングクリームの逆流と貯まりすぎを防ぐ。
【０００７】  シェービングクリームの出口（１４）をいくつかに分ける場合には、数ヶ所からできれば１０数箇所程度にわけて、シェービングクリームの一つ一つの出口（１４）に壁としてピン（５）を出口（１４）の数と同数設け、肌と接することによってそのピン（５）が内側へと退き、開いた出口（１４）から肌と接した部分のみに自動的にシェービングクリームを噴射し、逆に肌と離れる場合には、シェービングクリーム自身の内部から噴出される際の圧力か、個々に供えられた軽いスプリング（１５）で、ピン（５）が元の出口（１４）のところへ押し戻されるようにする。
【０００８】  また同じく、シェービングクリームの出口（１４）をいくつかに分ける場合の、シェービングクリーム噴射器（２）の噴射スイッチに関して、出口（１４）に壁として複数供えたピン（５）がそれぞれ退くことによって入るボタン（１３）と、シェービングクリーム噴射器（２）に従来から供えてある噴射ボタン（６）の両方を備え、２つ押さないと作動しない２重スイッチとして機能させるか、シェービングクリーム噴射器（２）に供えていた噴射ボタン（６）を省略して、出口（１４）のピン（５）関係のボタン（１３）のみを、当該シェービングクリーム噴射器（２）の噴射スイッチとして機能させる。
【０００９】  この噴射スイッチに関する一連の動きは電気等による場合もあるので、そのばあいは、用意するピン（５）と同数だけ電線（１７）と小型の電池を用意する。
【００１０】  シェービングクリーム噴射器（２）は、前方の噴射器（７）及び噴射ノズル（１１）、の部分と、後方のシェービングクリームタンク（８）の部分に、シェービングクリーム補充の為、分解、分離可能で、両者は差し込み口（９）、ねじまき等で接合されている。
本発明は、以上の構成よりなる「一体式髭剃及びシェービングクリーム噴射器」である。
【発明を実施するための最良の形態】
【００１１】  以下、本発明の実施の形態を説明する。
十分に暖かいタオル等で、顔面をあたため蒸したあと、いきなり、当該発明品で髭を剃っても、既述の噴射器（７）がシェービングクリームを噴射するので、何度繰り返し剃っても快適に髭剃が行なえる。【００１２】  髭剃をきれいに仕上げるため、２、３枚刃の髭剃をもちいる場合も、それぞれ剃刀（４）の前にシェービングクリームの出口（１４）が用意されていて、事前にシェービングクリームの噴射が行なわれるので快適にもちい得る。【００１３】  省エネ面からも、１つのシェービングクリームの出口（１４）を数ヶ所からできれば１０数箇所程度にわけ、シェービングクリームの出口（１４）にスイッチとしてピン（５）を設け、肌と接した部分のみに自動的に噴射される様にも出来るので、何ら難しい事無く、かつシェービングクリームに関して省エネを実践できる。【００１４】  シェービングクリームの補充に関しても、シェービングクリーム噴射器（２）は、前方の噴射器（７）及び噴射ノズル（１１）の部分と、後方のシェービングクリームタンク（８）の部分に分解、分離可能で、両者は差し込み口（９）、ねじまき等で接合されているので、補充の際には後方のシェービングクリームタンク（８）の部分を取り外し、新品と交換することによって簡単になし得る。【００１５】  髭を剃る前に、十分にシェービングクリームを塗って、暖かいタオル等で顔面をあたため蒸したあと、再度シェービングクリームを塗って髭を剃るという、プロフェショナルな技法で決める場合にも、暖かいタオル等で顔面をあたため蒸すところまでは以前と同様で、それ以降は本発明品「一体式髭剃及びシェービングクリーム噴射器」をもちいるという方法でなし得る。【００１６】  なお、本発明は、通常の髭剃のみならず、電動髭剃器でも同様にして応用可能で、近年普及している防水タイプの電気髭剃を使えば、シェービングクリームに関する水気等の問題も解決し得る。
【発明の効果】
【００１７】  当該発明品を使用することでえられる大きなメリットは、次の２点である。
１、いきなり、当該発明品で髭を剃っても、噴射器がシェービングクリームを噴射するので、何度繰り返し剃っても快適に髭剃が行なえる。
２、省エネ面からも、シェービングクリームの出口に壁としてピンを複数設け、肌と接した部分のみに自動的に噴射される様にも出来るので、シェービングクリームに関して省エネを実践できる。
【図面の簡単な説明】
【図１】    一体式髭剃及びシェービングクリーム噴射器の図
【図２】    図１を左側（剃刀の刃の側）から視た図
【図３】    剃刀の刃の周辺部分の拡大図
【符号の説明】
１  髭剃
２  シェービングクリーム噴射器
３  小タンク
４  剃刀
５  ピン
６  噴射ボタン
７  噴射器
８  シェービングクリームタンク
９  差し込み口
１０  排水溝
１１  噴射ノズル
１２  弁
１３  ピン関係のボタン
１４  シェービングクリームの出口
１５  スプリング
１６  電極
１７  電線
１８  ピンの後退方向
【図１】
2005199020.tif 000003
【図２】
2005199020.tif 000004
【図３】
2005199020.tif 000005
2005199020.tif 000006